(57)【要約】【課題】女性用生理用品の個別包装を用いて使用済みの生理用品類や、下着などを捨てる際の、密閉可能な処理袋を提供する。【解決手段】広い開口部を辺部に構成するマチを有する包装袋とその開口部に設けられたシールとより構成される。前記包装袋の上面には使用前生理ナプキンを折込包装可能であり、シールは折込包装の止着機能と、使用済み品を廃棄する際の処理袋の止封機能とを兼ね備えることを特徴とする生理用品包装袋。【選択図】図１
2008206933.tif 000002
【特許請求の範囲】
【請求項１】
任意の生理用ナプキンを開いた状態で投入可能な開口部を辺部に構成する包装袋とこの包装袋の開口部に設けられたシールとより構成され、前記包装袋はその上面に任意の生理用ナプキンを配置した状態で折込包装可能であるとともに開口部を生理ナプキンに触れないように広げるマチを有するものであり、前記シールは折りたたんだ状態で止着可能であるとともに、再粘着により包装袋の止封手段としても利用できるものであることを特徴とする生理用品包装袋。
【発明の詳細な説明】
【技術分野】
【０００１】  本発明は、女性用生理用品の個別包装を用いて使用済み生理用品や下着などを捨てる際の密閉可能な処理袋に関するものである。
【背景技術】
【０００２】  従来、女性がトイレで身支度を整える際、破れたパンティーストッキングや汚れた下着などは自前の処理袋に入れたり、使用後そのままの状態に近いかたちで汚物入れに廃棄していた。
生理ナプキンについては、個別包装のカバーシートをす巻き状に巻いたり、ティッシュに包んだりして廃棄していた。
また個別包装の少なくとも一部を袋状にし長手方向内側に開口部があり、廃棄物をコンパクトに畳み、投入し取り付けテープで止めるという発明が知られている。（特許文献１）。
【特許文献１】特開２００１−８７３０６号公報
【発明の開示】
【発明が解決しようとする課題】
【０００３】使用済みの下着などがそのままの姿で廃棄されていると次に使用する者への不快感を与える。だが処理袋の持ち合わせがなく、仕方なくそのまま廃棄せざるおえない現状がある。
生理用品の場合、生理ナプキンは個別包装を用いてす巻き状に包んだり、ティッシュに包んだり、携帯している処理袋に入れている。生理タンポンは使用済みを包む包装が専用にないのが現状でティッシュに包むほか方法はない。前者、後者とも用品本体や経血が目に見え、また汚物入れに経血が付着し悪臭も発生、害虫なども引き寄せる。処理袋の携帯というのも、専用のものは無いのが現状である。
次に使用する他者や、トイレ掃除に従事する方への不快や接触が考えられ、血液による感染病などの懸念がある。
また特許文献にあるように袋状にした包装の内側に切り込みをいれたようにある開口部に廃棄物を入れる際、開口部の直径からもわかるように経血を吸収し膨らんだ使用済みナプキンをコンパクトに畳まなければ投入不可能な開口径であり、投入しづらく手を汚す場合が考えられる。
そして、通常はナプキンの裏面はショーツに接着固定できるよう粘着テープが全面に施されており、廃棄品を袋状のものに投入する際、開口部が狭いと、そのテープが開口部付近で接着し投入出来ないか、もしくは投入出来たとしても途中で接着してしまい、袋底部まで入れ込むことは難しく収納力を半減するものである。
本発明は以上の問題点を解決しようとするものである。
【課題を解決するための手段】
【０００４】  マチを有する包装袋で袋の開口部に設けた再粘着シールとより構成されている。それを使用前生理ナプキンのカバーシートとし、上面に配置した状態で、折込包装する。
開口部の再粘着シールはこの折込包装時の止着シールという機能と廃棄品を投入後の処理袋としての止封手段として役割をもつため再粘着性にしてある。
【発明の効果】
【０００５】  使用前生理ナプキンを平面的にコンパクトに包装するという機能と、使用済み廃棄品を入れる処理袋という機能の二つの用途を兼ねることができる生理用品包装袋は、資源の無駄を省く。
個別包装の一部に収納体が付属するのではなく、個別包装すべての側面が処理袋になる側面であり、マチを有するため開口部は手首まで入るほど広く、底部にまで簡単に手が届く。経血を吸収し膨張した使用済みナプキンを開口状態のまま、開口部付近でつかえることもなくスムーズに投入可能とし、その他大きなサイズのナプキンや生理タンポン、それらに付属する包装類、ストッキング、下着など数点の廃棄品を納めることが出来る。マチのとり方によっては容量に幅のある収納が生まれる。そしてこの処理袋は自前で事前に用意しておくのではなく、生理ナプキン使用時に、その場で調達可能な処理袋であり、今までの不衛生に廃棄せざるおえない方法から一変し、安心して使用可能な自前の処理袋を提供可能とした。
また開口部に設けた再粘着シールは、個別包装の止着機能と包装袋の止封機能という二つの役割を持つことでゴミや付属品を軽減し、使用時スムーズな衛生機能を提供し、まったく他者へ廃棄品本体を見せることなく廃棄可能とした。
処理袋には防臭、防水効果を持たせることで、悪臭や経血漏れを防止でき、他者への接触、不快感を与えることなく配慮が出来る。
また、この処理袋の開口部を設けた箇所や、袋にマチがあるという構造、開口部に設けられた再粘着性のシールの付属から、この処理袋の取り扱い説明書が無くても使用方法に見当がつき、有効に機能を発揮することが可能である。
すべての女性が使用する生理ナプキンの包装を処理袋として利用できることは、従来までの不衛生な廃棄方法から他者への配慮、衛生面への意識の向上が見込める。
【発明を実施するための最良の形態】
【０００６】  以下、本発明の実施の形態を説明する。
（イ）  包装する素材は不透明で防臭、防水効果のあるものを使用しそれを二枚重ね、両サイド接着し袋帯状にし、マチ（１）を付けるため谷折、袋帯状の片底部を接着、処理袋の底部（２）と、開口部（３）、開口部の再粘着シール（４）から構成されている。
（ロ）  図１で示すように（イ）で出来上がったマチあり袋の上面に使用前生理ナプキン（５）を配置し、図２ａで示すように使用前生理ナプキン（５）と共に折込包装する。
（ハ）  図２ｂで示すように、両サイド（６）はのりづけし、個別包装を密閉する。再粘着シール（４）を貼り、使用前生理ナプキンの個別包装（７）とする。
本発明は、以上の構成よりなっている。
本発明を使用する際は図２ｂで示す個別包装（７）の状態から再粘着シール（４）を剥がしたのち、両サイド（６）の、のりづけを剥がし、図２ａのように使用前生理ナプキン（５）を広げ、取り外し使用する。
使用済み廃棄品を投入する際は図２ａで示すように使用前生理ナプキン（５）のカバーシートとして使われていたマチあり袋の開口部（３）をマチ共十分開き、廃棄品を投入、再粘着シール（４）で密閉し廃棄する。
経血を含み膨張した使用済み生理ナプキンを開口状態で投入可能な広さの開口部をもつことを特徴とし、生理ナプキン、生理タンポン、それに付属する包装類、ストッキング、下着など数点を納める容量を持つ。
【図面の簡単な説明】
【０００７】
【図１】本発明の斜視図
【図２】本発明の使用状態図
【符号の説明】
【０００８】（１）  マチ
（２）  処理袋底部
（３）  開口部
（４）  再粘着シール
（５）  使用前生理ナプキン
（６）  個別包装の両サイド
（７）  個別包装
【図１】
2008206933.tif 000003
【図２】
2008206933.tif 000004